(57)【要約】【課題】紙管性芯体にシートを巻回したロール状巻物において、シートを使い切った後の芯体の廃棄、焼却を容易にする。【解決手段】２本の短尺紙管10を接着することなく単に突き合わせて芯体２を構成し、該芯体２にシート４を巻回してロール状巻物を形成する。シート４の巻回を解くと芯体２は突合せ部３で分離し、芯体２の長さ方向の嵩張りを小さくでき、廃棄、焼却に便利である。【選択図】図１
2008266001.tif 000002
【特許請求の範囲】
【請求項１】
紙管製芯体(２)にシート(４)を巻回してなるロール状巻物(５)において、芯体(２)は複数の短尺紙管(10)を突き合わせて構成され、シート(４)の巻回を解くと芯体(２)を突合せ部(３)で離すことができる、ロール状巻物。
【請求項２】
複数の短尺紙管(10)(10)は同じ長さである、請求項１に記載のロール状巻物。
【請求項３】
１本の長尺紙管(１)を切断して複数の短尺紙管(10)(10)を得て、並び順を変えることなく短尺紙管(10)を突き合わせて芯体(２)を形成している、請求項１又は２に記載のロール状巻物。
【請求項４】
短尺紙管(10)の外周面には、切断前と切断後の位相合わせのための目印(11)が施されている、請求項３に記載のロール状巻物。
【請求項５】
短尺紙管(10)の２倍長さが芯体(２)長さであり、短尺紙管(10)長さも規格の幅狭シートの幅長さに対応している、請求項１乃至４の何れかに記載のロール状巻物。
【請求項６】
複数の短尺紙管(10)を突き合わせて芯体(２)を構成し、該芯体(２)にシート(４)を巻き取ってロール状巻物を形成する方法。
【発明の詳細な説明】
【技術分野】
【０００１】
本発明は、紙管製芯体にシートを巻回したロール状巻物及びロール状巻物を形成する方法に関する。
【背景技術】
【０００２】
従来のこの種ロール状巻物は、シートを使い切った後の芯体の処分に苦慮した。
長いままの芯体は長さ方向の嵩張りが大きく、廃棄のための搬送や小型焼却炉での焼却にも不便である。
このため、紙管製芯体にミシン目や溝条を施して折り易くすることにより、後処理を容易にすることが提案されている(特開２００５−２５５２９２号)。
【発明の開示】
【発明が解決しようとする課題】
【０００３】
紙管製芯体に溝やミシン目を施すと、シートを巻回するまでに不用意に芯体が折損してしまう虞れがある。折損箇所の端面は、紙の繊維が毛羽立ってしまい突き合わせても、元の状態には戻らない。
又、紙管には厚み１.５cm程度の肉厚のものがあり、この様な厚手の紙管はミシン目を
施すこと自体が容易ではなく、ミシン目を施したとしても人手で折ることはできない。    又、ロール状巻物は、ロールの両端を回転自由に支持して、シートを繰り出して使用することが多いので、シートの巻回残量が少なくなった場合の、シートの繰出し安定性、安全面を考慮した場合、複数の紙管を単に突き合わせただけで、巻物の芯体として使用することは及びもつかなかった。
【０００４】
出願人は、ロール状巻物は用途によっては、平行ロール上に該ロールと平行に載せた状態で、シートを引き出して使用することがあることに鑑み、業界では非常識とされていたことに挑戦し、シートを使い切った後の紙管製芯体の廃棄処分が容易となり、且つ、シート巻回前の芯体の長さ方向の嵩張りを小さくして、搬送に便利な、ロール状巻物及びロール状巻物の形成方法を明らかにするものである。
【課題を解決するための手段】
【０００５】
請求項１は、紙管製芯体(２)にシート(４)を巻回してなるロール状巻物(５)において、芯体(２)は複数の短尺紙管(10)を突き合わせて構成されている。
【０００６】
請求項２は、請求項１のロール状巻物(５)において、複数の短尺紙管(10)は同じ長さである。
【０００７】
請求項３は、請求項１又は２に記載のロール状巻物(５)において、１本の長尺紙管(１)を切断して複数の短尺紙管(10)を得て、並び順を変えることなく短尺紙管(10)を突き合わせて芯体(２)を形成している。
【０００８】
請求項４は、請求項３に記載のロール状巻物(５)において、短尺紙管(10)の外周面には、切断前と切断後の位相合わせのための目印(11)が施されている。
【０００９】
請求項５は、請求項１乃至４の何れかに記載のロール状巻物において、短尺紙管(10)の２倍長さが芯体(２)長さであり、短尺紙管(10)長さも規格の幅狭シートの幅長さに対応している。
【００１０】
請求項６のロール状巻物の形成方法は、複数の短尺紙管(10)を突き合わせて芯体(２)を構成し、該芯体(２)にシート(４)を巻き取ってロール状巻物を形成する。
【発明の効果】
【００１１】
請求項１のロール状巻物は、芯体(２)に巻回したシート(４)が、芯体(２)である複数本の短尺紙管(10)を突き合わせ状態を保持しているから、巻回したシート(４)を使い切ると、芯体(２)を複数の短尺紙管(10)に分離できる。このため、芯体(２)を折る手間を省くことができる。
短尺紙管(10)は、芯体(２)に較べて長さ方向の嵩張りが大幅に小さくなるから、廃棄のための搬送、焼却処分に便利である。
【００１２】
請求項２のロール状巻物は、芯体(２)を構成するための複数の短尺紙管(10)は同じ長さであるから、長さの異なる複数の紙管を製造する場合に較べて紙管の生産性を高めることができる。又、同じ長さの短尺紙管(10)は、保管、管理も楽である。
【００１３】
請求項３のロール状巻物は、１本の長尺紙管(１)を切断して得た複数の短尺紙管(10)を、切断前の並び順に突き合わせて芯体(２)を構成するから、突合せ部の短尺紙管(10)の外径が確実に揃って、一様太さの芯体(２)を構成できる。このため、シート(４)に皺を生じることなく芯体(２)に美しく巻回できる。
【００１４】
請求項４のロール状巻物は、短尺紙管(10)の外周面の目印によって、切断前と位相をずらすことなく、短尺紙管(10)を突き合わせることができるから、該突合せ部(３)で芯体(２)に段差を生じることはなく、シート(４)を一層美しく巻回できる。
【００１５】
請求項５のロール状巻物は、短尺紙管(10)１本だけでも、狭端シート(４)の芯体(２)として使用できる。短尺紙管(10)２本分の長さの幅広シート(４)の巻回と、短尺紙管(10)１本分の幅狭シート(４)の巻回を行なう場合、短尺紙管(10)だけを準備すればよいため、紙管の保管、管理が容易である。
【発明を実施するための最良の形態】
【００１６】
図１ａは、ロール状巻物の芯体となる長尺紙管(１)を示しており、該長尺紙管(１)の全長は巻回するシート(４)の幅長さに一致している。
長尺紙管(１)の切断予定部には切断後に、切断端面の突合せの際に位相のズレを防止するための目印(11)を施している。
実施例では、管軸方向に線を引いて目印(11)としている。
【００１７】
図１ｂは、上記長尺紙管(１)を、長さの等しい２本の短尺紙管(10)(10)に切り分けた状態を示す。
長尺紙管(１)の切断は、２本の短尺紙管(10)(10)を突き合わせたときの長さが元の長尺紙管(１)の長さに一致する様に、切断によって紙管が短くならない様に且つ切断端面に凹凸が生じない様に行なう。
【００１８】
図１ｃは、上記短尺紙管(10)(10)を、目印(11)を合わせて端面どうしを突き合わせて構成した芯体(２)を示している。短尺紙管(10)(10)の突合せ部(３)は、単に突き合わさっているだけで、端面どうしは接着剤或いは他の手段で接合されていない。
【００１９】
図２は、平行な受けロール(６)(６)に跨って該受けロール(６)と平行に芯体(２)を載せ、該芯体(２)にシート(４)を巻回してロール状巻物(５)を形成する作業状態を示している。
受けロール(６)(６)に芯体(２)を載せるとき、２本の短尺紙管(10)(10)の目印(11)にズレのないことを確認する。芯体(２)の上方には押えロール(７)が昇降可能に位置している。
【００２０】
芯体(２)へのシート(４)の巻回は公知の技術で行なう。芯体(２)が従来の様に１本ものであっても、本実施例の様に２本の短尺紙管(10)(10)の突き合わせによるものであっても、巻回方法は同じである。
巻回方法を簡単に説明すると、芯体(２)の両端を内側に加圧する等により、短尺紙管(10)(10)の突合せ部が離れない様に芯体(２)を回転自由に支持しつつ、受けロール(６)(６)及び押えロール(７)を回転させて、受けロール(６)(６)間から供給されるシート(４)を芯体(２)に巻き取る。
尚、受けロール(６)(６)及び押えロール(７)を回転自由とし、芯体(２)を強制回転させても、芯体(２)にシートを巻回することができる。
【００２１】
実施例の場合、芯体(２)の長さが、規格の広幅シートの幅長さに一致しており、短尺紙管(10)１本の長さは、規格の狭幅シートの幅長さに一致している。
【００２２】
上記した芯体(２)にシート(４)を巻回してなるロール状巻物(５)は、シート(４)を使い切ると、何ら手を加えることなく芯体(２)は複数の短尺紙管(10)に分離して、長さ方向の嵩張りが大幅に小さくなるから、廃棄のための搬送、焼却処分に便利である。
【００２３】
芯体(２)を構成する２本の短尺紙管(10)は同じ長さであるから、長さの異なる複数の紙管を製造する場合に較べて、紙管の生産性を高めることができる。又、同じ長さの短尺紙管(10)は、保管、管理も楽である。
【００２４】
芯体(２)は、短尺紙管(10)の外周面の目印(11)によって、切断前と位相をずらすことなく、短尺紙管(10)(10)の突き合わせができるから、該突合せ部(３)で芯体(２)に段差も生じることはなく、シート(４)を一層美しく巻回できる。
【００２５】
短尺紙管(10)１本だけでも、狭端シート(４)の芯体(２)と使用できるから、短尺紙管(10)２本分の長さの幅広シート(４)の巻回と、短尺紙管(10)１本分の幅狭シート(４)の巻回を行なう場合、短尺紙管(10)だけを準備すればよいため、紙管の保管、管理が容易である。
【００２６】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２７】
例えば実施例では、２本の短尺紙管(10)(10)を突き合わせて芯体(２)を構成したが、３本以上の短尺紙管(10)を突き合わせて芯体(２)を構成することも可能である。
【００２８】
１本の長尺紙管(１)を３本以上の短尺紙管(10)に切断して、該短尺紙管(10)を突き合わせて芯体(２)を構成する場合でも、長尺紙管(１)の切断前の並び順に短尺紙管(10)を突き合わせて芯体(２)を構成すれば、突合せ部の短尺紙管(10)の外径が確実に揃うため、一様太さの芯体(２)を構成でき、シート(４)に皺を生じることなく美しく巻回できる。
【００２９】
尚、芯体(２)にシートの巻き始め端を止めるために両面テープ(図示せず)を芯体(２)の略全長亘って装着することがある。本発明の芯体(２)でこの両面テープの装着を実施した場合、芯体(２)を構成する複数の短尺紙管(10)(10)に両面テープが跨ってしまい、短尺紙管(10)(10)どうしが繋がってしまう。しかし、短尺紙管(10)(10)の端面どうしは突き合わさっているが接合されてはおらず、両面テープは簡単に外すことができ、或いは切断できるから、短尺紙管(10)(10) の分離の邪魔になるほどではない。
【図面の簡単な説明】
【００３０】
【図１】ａ図は長尺紙管の斜面図、ｂ図は短尺紙管の斜面図、ｃ図は２本の短尺紙管を突き合わせてなる芯体の斜面図である。
【図２】芯体にシートを巻き取る作業状態の説明図である。
【図３】図２Ｘ−Ｘ線に沿う断面図である。
【符号の説明】
【００３１】
１  長尺紙管
10  短尺紙管
２  芯体
３  突合せ部
４  シート
５  ロール状巻物
【図１】
2008266001.tif 000003
【図２】
2008266001.tif 000004
【図３】
2008266001.tif 000005